(57)【特許請求の範囲】
【請求項１】
釣り具本体の内部に中空のシリンダ部を設け、このシリンダ部内に往復動するピストンを組み込み、このピストンに固定されたピストンロッドの先端を釣り具本体の先端から突出させ、その突出部分に先端が釣り具本体を向くようにして針を取り付け、前記中空のシリンダ部とピストンとの間には、密閉された空間である圧縮室と前記ピストンロッドを常に釣り具本体内部に引き込むように付勢されたバネを設け、このピストンを挟んで圧縮室の反対側は大気もしくは水中に開放されていることを特徴とするイカ釣り用釣り具。
【請求項２】
請求項１の発明において、釣り具本体内部が２つの空気室に分かれており、一方の空気室は密封されて、その内部に一端がピストンロッドに係合し、他端が釣り具本体に係合したバネが配置され、もう一方の空気室は、その内部にピストンを往復動させるシリンダ部を構成し、この空気室におけるピストンを挟んで一方の側には密閉された圧縮室が形成され、他方の側は大気もしくは水中に開放されていることを特徴とするイカ釣り用釣り具。
【発明の詳細な説明】
【技術分野】
【０００１】
本発明は、一般にイカ角と呼ばれるイカ釣り用釣り具に関するものであって、釣具が船上や海上にある場合には針先を釣り具本体に引き込んで針先による危険を低減することを可能としたものである。
【背景技術】
【０００２】
イカ釣り用の釣り具としてはさまざまな形状のものが知られているが、基本的には、特許文献１に示すように、紡錘型の本体の先端にイカを捕捉するための針を設けるとともに、本体の基端部に釣り糸を結ぶように構成されている。そして、この釣り具を使用する場合には、幹糸に複数の枝糸を結び、その枝糸の先端にそれぞれ釣り具を結び付けた仕掛けを利用している。
【０００３】
ところが、このような従来技術では、本体の先端に針が露出しているため、船上及び仕掛けを海に投入する際、作業者の手や指に針が刺さったり、風が強い時などは仕掛けが絡まったりして扱いに不便を感じることが多い。
【０００４】
また、釣り具本体から針が出たままになっているため、仕掛けに複数のイカがかかった場合に、どれか一杯のイカが逃げようとして仕掛けを引っ張ると、仕掛け全体が逃げるイカの方向へ引っ張られるので他の釣り具にかかったイカが針の部分から外れる可能性が高かった。
【特許文献１】特開２０００−１４２７６号公報
【発明の開示】
【発明が解決しようとする課題】
【０００５】
本発明はこのような従来技術の問題点を解決するために提案されたものであって、その第１の目的は、釣り具を船上で操作したり、海中に投入するような作業の際には、針先が釣り具本体に引き込まれて隠れるために、作業者の安全性が高くまた仕掛けの絡まりも少ないイカ釣り用の釣り具を提供することにある。
【０００６】
本発明の第２の目的は、イカをつり上げるための海中深くにおいては針先が露出することでイカのかかりがよく、仕掛けを引き上げるに従って針先が本体に引き込まれることにより、針がイカに食い込むことで、イカが暴れた場合であっても針から外れる恐れが少ないイカ釣り用の釣り具を提供することにある。
【課題を解決するための手段】
【０００７】
このような目的を達成するために、請求項１の発明は、釣り具本体の内部に中空のシリンダ部を設け、このシリンダ部内に往復動するピストンを組み込み、このピストンに固定されたピストンロッドの先端を釣り具本体の先端から突出させ、その突出部分に先端が釣り具本体を向くようにして針を取り付け、前記中空のシリンダ部とピストンとの間には、密閉された空間である圧縮室と前記ピストンロッドを常に釣り具本体内部に引き込むように付勢されたバネを設け、このピストンを挟んで圧縮室の反対側は大気もしくは水中に開放されていることを特徴とする。
【０００８】
このような構成を有する請求項１の発明においては、釣り具が海中の浅い場所や船上にある場合には、バネの力でピストンが押圧され、ピストンロッドが釣り具本体内部に引き込まれるので、ピストンロッドの先端に設けられた針も、釣り具本体側に移動しその針先が釣り具本体により隠されることになる。
【０００９】
一方、釣り具を海中に投入した場合に、釣り具がイカを捕らえるような水深に達すると、その水圧によりピストンが押圧され、圧縮室の容積が縮小するとともに、前記バネの力に逆らってピストンロッドをその先端が釣り具本体から突出する方向に移動させる。すると、ピストンロッド先端に設けられている針が釣り具本体から離れ、その先端が露出することになるので、針先にイカを引っ掛けることができる。
【００１０】
そして、イカを捕捉した釣り具を船上に引き上げるにつれ、釣り具本体に加わる水圧が小さくなり、ピストンに代わる水圧よりもバネの力が大きくなるため、ピストンロッドはバネの力で釣り具本体内部に引き込まれることになる。その結果、ピストンロッド先端に設けられていた針が、イカを引っ掛けたまま釣り具本体側に移動するので、針先がイカに深く食い込むとともに、針先と釣り具本体とのすき間が閉じてイカが外れることを防止する。
【００１１】
請求項２の発明は、前記請求項１の発明において、釣り具本体内部が２つの空気室に分かれており、一方の空気室は密封されて、その内部に一端がピストンロッドに係合し、他端が釣り具本体に係合したバネが配置され、もう一方の空気室は、その内部にピストンを往復動させるシリンダ部を構成し、この空気室におけるピストンを挟んで一方の側には密閉された圧縮室が形成され、他方の側は大気もしくは水中に開放されていることを特徴とする。
【００１２】
このような構成を有する請求項２の発明においては、伸縮するバネなどの機構は、密閉された空気室内に収納されているので、内部に海水や汚れなどが侵入することがなく、故障を招く恐れがない。
【発明の効果】
【００１３】
本発明によれば、船上で釣り具を取り扱う場合には、針先が釣り具本体の針先隠しに収納された状態となるので、針先が露出して作業者を傷付けたり、露出した針によって仕掛けが絡まるなどの不都合が解消される。
【発明を実施するための最良の形態】
【００１４】
次に、本発明の代表的な実施形態を図１、図２、図３に従って具体的に説明する。
図１に示すように、釣り具本体１は、先端部と基端部が円錐状に尖った中空の通常の部材によって構成され、その基端部には釣り糸を結び付けるための接続金具１８が設けられている。
【００１５】
この釣り具本体１の内部は、本実施の形態においては、大きく４つの部屋に区画されている。すなわち、釣り具本体１の最も先端部である円錐状の部分の内側に形成された第一の部屋２は、釣り具本体１の壁に形成された海水出入り口８によって、大気中あるいは水中に連通している。
【００１６】
この第一の部屋２と隔壁６を介して隣接している第二の部屋３は、バネ１３の収納部となる密閉室であって、前記第一の部屋２の隔壁６および隣接する第三の部屋４の隔壁６によって密閉されている。この場合、各隔壁６には、シリコンパッキン７が設けられ、水密並びに気密性が確保されるようになっている。
【００１７】
第三の部屋４は圧縮室１６を構成するものであって、第四の部屋５との隔壁６には海水出入り口８となる開口部が形成されている。第四の部屋５は、釣り具本体１の基端部の円錐状に尖った中空の部分であって、釣り具本体１の壁に形成された海水出入り口８によって、大気中あるいは水中に連通している。
【００１８】
前記釣り具本体１の中心部には、第一の部屋２、第二の部屋３および第三の部屋４を貫通するように、ピストンロッド９が往復動自在に挿入されており、このピストンロッド９の先端部が、釣り具本体１の先端部より突出している。このピストンロッド９の先端部には、Ｕ字形に湾曲した複数本の針１０の根本が固定されており、その針１０の先端部が釣り具本体１の先端側に向かっている。釣り具本体１におけるこの針１０の先端部が当たる部分には、釣り具本体１の表面から突出した針先隠し１１が設けられている。
【００１９】
前記ピストンロッド９のほぼ中央部に相当する第二の部屋３に位置する部分には、板状のストッパ１２が固定されており、このストッパ１２と第二の部屋３と第三の部屋４の隔壁６との間には、ピストンロッド９の外側にはめ込まれるようにしてコイルバネ１３が縮んだ状態で配置されている。この場合、コイルバネ１３の端部は前記隔壁６とストッパ１２とにそれぞれ固定されている。
【００２０】
第三の部屋４に位置している前記ピストンロッド９の基端部には、ピストン１４が設けられている。本実施の形態において、このピストン１４は、ピストンロッド９の基端部に固定された２枚のステンレス板１５と、この２枚のステンレス板１５に挟まれて第三の部屋４の内面に密着して摺動するシリコンパッキン７とから構成されている。そして、このピストン１４は、第三の部屋４の内部に形成されたシリンダ部１７の内側をピストンロッド９とともに往復動するものであって、このピストン１４と、第二の部屋３および第三の部屋４の隔壁６との間が密閉された空気圧縮室１６になっている。
【００２１】
このような構成を有する本実施形態の釣り具の作用効果は次の通りである。
まず、釣り具を船上で取り扱う場合には、図１に示すように、第二の部屋３の内部に設けられたバネ１３が縮んだ状態になっており、そのバネ１３がストッパ１２を介してピストンロッド９を基端側に引っ張るので、ピストンロッド９の先端は釣り具本体１の内側に引き込まれている。そのため、ピストンロッド９の先端に設けられた針１０は、釣り具本体１側に引き寄せられ、その針先が釣り具本体１にあたって針先隠し１１によってカバーされた状態となる。
【００２２】
次に、釣り具を海中に投入した場合、釣り具本体１に設けられた海水出入り口８から第一の部屋２および第四の部屋５に海水が浸入する。そして、投入された釣り具がイカを捕獲する水深に近づくにつれ、第三の部屋４と第四の部屋５の隔壁６に設けられた海水出入り口８から侵入した海水の水圧がピストン１４に加わり、このピストン１４を前記バネ１３の引っ張り力に逆らって押圧する。
【００２３】
水深が深くなり、ピストン１４に加わる圧力が大きくなると、ピストン１４は圧縮室１６の空気を圧縮させながら徐々に釣り具本体１の先端側に移動し、それに伴いピストン１４に固定されたピストンロッド９の先端側に移動する。その結果、釣り具がイカを捕獲する水深に達すると、ピストンロッド９の先端が図２に示すように、釣り具本体１の先端から突出し、その先端に固定された針１０も、針先が釣り具本体１の表面から離れて露出することになる。
【００２４】
このようにして針先が露出した状態でイカを捕獲し、釣り具本体１を船上に引き上げていくと、水深が浅くなるにつれて、ピストン１４に加わる水圧が低くなり、ピストン１４およびピストンロッド９はバネ１３の引っ張り力によって釣り具本体１の基端側に移動することになる。それに伴い、ピストンロッド９先端の針１０が釣り具本体１表面の針先隠し１１に収納され、針先と釣り具本体１との間に隙間がなくなるので、捕獲されたイカが針１０から外れることがなくなる。図３はこのような針先が閉じた釣り具によりイカをつり上げた状態を示す模式図である。
【００２５】
本発明は、上記の実施の形態に示すような構成並びに作用効果を奏するものであるが、かならずしもこの構成に限定されるものではない。例えば、伸びた状態にあるバネ１３を第一の部屋２と第二の部屋３の隔壁６とストッパ１２との間に設けて、ピストンロッド９を釣り具本体１の内部に引き込むようにし、水圧によってこのバネ１３の圧縮させピストンロッド９を釣り具本体１から突出させるようにすることも可能である。また、第二の部屋３と第三の部屋４との隔壁６を取り除き、ピストン１４と第一の部屋２の隔壁６との間を密閉された圧縮室１６とすることも可能である。
【００２６】
上記の実施の形態においては、釣り具本体１の第四の部屋５に侵入する海水との重量バランスをとるために、第一の部屋２を設けて海水出入り口８から海水を進入させるようにしたが、この第一の部屋２を設けることなく、第１、第２および第３の３つの部屋が一体化された圧縮室１６としてもよい。また、この第一の部屋２を、錘や樹脂などによって充填してもよい。
【００２７】
さらに、釣り具本体１の外形は、図に示すような形状に限らず、海水の圧力によって往復動するピストン１４と圧縮室１６を内部に設けることができれば、従来から広く知られている各種のイカ釣り用釣り具の形状とすることもできる。
【図面の簡単な説明】
【００２８】
【図１】本発明のイカ釣り用釣り具の実施の形態を示すものであって、釣り具を船上に引き上げた状態の断面図。
【図２】図１のイカ釣り用釣り具を、イカを捕捉する海中に投入した場合の状態を示す断面図。
【図３】図１のイカ釣り用釣り具によって、イカを捕捉した状態を示す模式図。
【符号の説明】
【００２９】
１…釣り具本体
２…第一の部屋
３…第二の部屋
４…第三の部屋
５…第四の部屋
６…隔壁
７…シリコンパッキン
８…海水出入り口
９…ピストンロッド
１０…針
１１…針先隠し
１２…ストッパ
１３…バネ
１４…ピストン
１５…ステンレス板
１６…圧縮室
１７…シリンダ部
１８…接続金具
【要約】
【課題】  仕掛けを海に投入する際、針先による事故の危険がなく、また仕掛けの絡まりが少なく、掛かったイカが水面付近でバレないイカ釣り用釣り具を提供する。
【解決手段】  第二の部屋３の内部に設けられたバネ１３がストッパ１２を介してピストンロッド９を基端側に引っ張るので、ピストンロッド９の先端は釣り具本体１の内側に引き込まれる。ピストンロッド９の先端に設けられた針１０は、釣り具本体１側に引き寄せられ、その針先が釣り具本体１にあたって針先隠し１１によってカバーされる。水深が深くなり、ピストン１４に加わる圧力が大きくなると、ピストン１４は圧縮室１６の空気を圧縮させながら釣り具本体１の先端側に移動し、それに伴いピストン１４に固定されたピストンロッド９の先端側に移動する。釣り具がイカを捕獲する水深に達すると、ピストンロッド９の先端が釣り具本体１の先端から突出し、針先が釣り具本体１の表面から離れて露出する。
【選択図】  図１
【図１】
0003548572.tif 000002
【図２】
0003548572.tif 000003
【図３】
0003548572.tif 000004